(57)【要約】【課題】通報の手間を低減すること。【解決手段】カードリーダ２が質問電波を出力するステップと、非接触式ＩＣカード３に対する操作に基づいて通常モードまたは緊急通報モードを選択するステップと、非接触式ＩＣカード３が通常モードでその質問電波を受信したときに、非接触式ＩＣカード３が通常時応答電波を出力するステップと、非接触式ＩＣカード３からその通常時応答電波が出力されたときに、カードリーダ２が通常動作するステップと、非接触式ＩＣカード３が緊急通報モードでその質問電波を受信したときに、非接触式ＩＣカード３が緊急時応答電波を出力するステップと、非接触式ＩＣカード３からその緊急時応答電波が出力されたときに、カードリーダ２が通報装置５、６で通報するステップとを備えている。このとき、ユーザは、非接触式ＩＣカード３を操作した後にカードリーダ２を使用することにより容易に緊急通報することができる。【選択図】図１
2011159182.tif 000002
【特許請求の範囲】
【請求項１】
本非接触式ＩＣカードに対する操作に基づいて通常モードと緊急通報モードとから１つのモードを選択する緊急送信判定部と、
カードリーダから出力される質問電波を受信する受信部と、
応答電波を出力する送信部と、
制御部とを具備し、
前記制御部は、
前記通常モードが選択されている場合で、前記質問電波を受信したときに、通常時応答電波を出力するように前記送信部を制御し、
前記緊急通報モードが選択されている場合で、前記質問電波を受信したときに、前記通常時応答電波と異なる緊急時応答電波を出力するように前記送信部を制御する
非接触式ＩＣカード。
【請求項２】
請求項１において、
前記緊急送信判定部は、本非接触式ＩＣカードに衝撃が印加されたときに、前記緊急通報モードを選択する
非接触式ＩＣカード。
【請求項３】
請求項１または請求項２のいずれかにおいて、
前記通常時応答電波は、通常情報を示し、
前記緊急時応答電波は、
前記通常情報と、
前記通常情報と異なる緊急通報情報とを示す
非接触式ＩＣカード。
【請求項４】
請求項１または請求項２のいずれかにおいて、
前記通常時応答電波は、通常情報を示す通常情報電波から形成され、
前記緊急時応答電波は、
前記通常情報電波と、
前記通常情報電波と異なる緊急通報情報電波とを含み、
前記制御部は、さらに、前記緊急通報モードが選択されているときに、前記質問電波と異なる緊急通報モード電波が前記カードリーダから出力されるまで、前記緊急通報情報電波を繰り返し出力するように前記送信部を制御する
非接触式ＩＣカード。
【請求項５】
請求項１または請求項２のいずれかにおいて、
前記通常時応答電波は、通常情報を示す通常情報電波から形成され、
前記緊急時応答電波は、
前記通常情報電波と、
前記通常情報電波の送信電力と異なる他の送信電力で出力される緊急通報情報電波とを含む
非接触式ＩＣカード。
【請求項６】
請求項１または請求項２のいずれかにおいて、
前記通常時応答電波は、通常情報を示す通常情報電波から形成され、
前記緊急時応答電波は、
前記通常情報電波と、
前記通常情報電波の周波数と異なる他の周波数で出力される緊急通報情報電波とを含む
非接触式ＩＣカード。
【請求項７】
間欠的に質問電波を出力するリーダ側送信部と、
応答電波を受信するリーダ側受信部と、
前記質問電波に応答して非接触式ＩＣカードから通常時応答電波が出力されたときに、前記通常時応答電波が示す通常情報を用いて動作する通常動作部と、
前記質問電波に応答して前記非接触式ＩＣカードから緊急時応答電波が出力されたときに、通報装置を制御する通報部
とを具備するカードリーダ。
【請求項８】
請求項７において、
前記緊急時応答電波は、前記通常情報を示し、
前記通報部は、前記質問電波に応答して前記非接触式ＩＣカードから緊急時応答電波が出力されたときに、本カードリーダを識別するリーダＩＤと前記通常情報とを通報先装置に通知するように前記通報装置を制御する
カードリーダ。
【請求項９】
非接触式ＩＣカードと、
カードリーダとを具備し、
前記非接触式ＩＣカードは、
前記非接触式ＩＣカードに対する操作に基づいて通常モードと緊急通報モードとから１つのモードを選択する緊急送信判定部と、
前記カードリーダから出力される質問電波を受信する受信部と、
電波を出力する送信部と、
制御部とを備え、
前記制御部は、
前記通常モードが選択されている場合で、前記質問電波を受信したときに、通常時応答電波を出力するように前記送信部を制御し、
前記緊急通報モードが選択されている場合で、前記質問電波を受信したときに、前記通常時応答電波と異なる緊急時応答電波を出力するように前記送信部を制御し、
前記カードリーダは、
間欠的に前記質問電波を出力するリーダ側送信部と、
電波を受信するリーダ側受信部と、
前記質問電波に応答して非接触式ＩＣカードから前記通常時応答電波が出力されたときに、前記通常時応答電波が示す通常情報を用いて動作する通常動作部と、
前記質問電波に応答して前記非接触式ＩＣカードから前記緊急時応答電波が出力されたときに、通報装置を制御する通報部とを備える
緊急通報システム。
【請求項１０】
非接触式ＩＣカードと、
カードリーダ
とを備える緊急通報システム
により実行される方法であり、
前記カードリーダが間欠的に質問電波を出力するステップと、
前記非接触式ＩＣカードが前記非接触式ＩＣカードに対する操作に基づいて通常モードと緊急通報モードとから１つのモードを選択するステップと、
前記通常モードが選択されている場合で、前記非接触式ＩＣカードが前記質問電波を受信したときに、通常時応答電波を前記非接触式ＩＣカードが出力するステップと、
前記非接触式ＩＣカードから前記通常時応答電波が出力されたときに、前記カードリーダが、前記通常時応答電波が示す通常情報を用いて動作するステップと、
前記緊急通報モードが選択されている場合で、前記非接触式ＩＣカードが前記質問電波を受信したときに、前記通常時応答電波と異なる緊急時応答電波を前記非接触式ＩＣカードが出力するステップと、
前記非接触式ＩＣカードから前記緊急時応答電波が出力されたときに、前記カードリーダが通報装置を制御するステップ
とを具備する緊急通報方法。
【発明の詳細な説明】
【技術分野】
【０００１】
本発明は、緊急通報システムおよび緊急通報方法に関し、特に、有事の発生を通報するときに利用される緊急通報システムおよび緊急通報方法に関する。
【背景技術】
【０００２】
Ｓｕｉｃａ（登録商標）等の乗車カードやＥｄｙ（登録商標）などの電子マネー、社員証などにおいて、磁気ストライプカードよりもセキュリティ性が高いことから非接触のＩＣカードやＲＦＩＤ（Ｒａｄｉｏ  Ｆｒｅｑｕｅｎｃｙ  Ｉｄｅｎｔｉｆｉｃａｔｉｏｎ）タグなどが使用されている。接触型ＩＣカードは、ＩＣチップと金メッキされた接触端子で構成されており、カードリーダと接続することで電源供給し、内部ＩＣチップを起動してリーダとの通信を行う。対して、非接触型ＩＣカードは、接触端子の代わりにカード内部にアンテナコイルを備え、リーダ側のアンテナコイルに電流を流して磁界を発生させ、この磁界の内部にＩＣカードをかざすことにより、ＩＣカード側のコイルに起電力が発生して交流電圧が誘起され、カード内にて直流電圧に変換されてＩＣカードが動作する。これによりカードへの電源供給と同時に通信データのやりとりも行われる。
【０００３】
ＩＣカードは、ＩＣチップが内蔵されているおり、そのチップにはメモリも含まれる。このため、ＩＣカードは、個人情報や物品のタグ情報などの使用用途に必要な情報を書き込むことが可能である。また、リーダから所有者のＩＤ情報等の必要な情報をＩＣカードから読み込み、リーダに接続されているサーバとやりとりを行うことで、使用されたＩＣカードの情報を一元管理することが可能となっている。
【０００４】
近年では非接触カードの使用用途が多様化しており、カードリーダ側の需要については駅のホームや自動販売機、コンビニストア等、あらゆる場所にて見受けられるようになっている。これに対して、従来の非接触ＩＣカードの場合、電子マネーは電子マネーでしか使用することができず、社員証等のカードはセキュリティカードとしてでしか使用することができず、使用用途が各カードにて限定されてしまう。これはカードで有する情報量が有限であること、データを管理する情報が各用途にて異なるため、単一カードでの共用化が困難であることが要因として挙げられる。
【０００５】
また、一般的に個人が有事の際、緊急であることを通報する場合は、電話などの通信手段にて警察署や消防署などの機関に通報するのが主といえるが、通報が必要な場合に通報手段を有していなかったり、付近に通報手段がなかったりする場合もある。また、通報手段を有していたとしても、緊急事態の発生位置が特定できないため、通報者本人が個人情報や発現場所を逐一報告するなどの措置が必要になる。この場合、通報者が位置特定できないような場所から通報した場合等は報告するのに時間と手間がかかってしまうのが現状である。その他の通報手段としては、自動通報を行う機能を有するセキュリティ機器より通報することなどが挙げられるが、この場合は発生位置も特定でき、早急な通報を行うことが可能である。但し、機器が設置されている場所が限定されてしまうため、必ずしも早急に通報できるとは限らない。緊急事態に対して報知の手段を増やすことが望まれている。
【０００６】
特開２００７−２３３７６７号公報には、交差点に設置されている押しボタン箱にリーダライタと緊急ボタンを新たに設置することにより、通常は信号操作のために使用し、緊急時にはＩＣカードを所持する人が緊急ボタンを押した場合に限り緊急事態を外部装置に報知するようにして、いたずらによる誤動作を低減して緊急性の確度を高めると共に、設備のコストパフォーマンスを良くすることができる信号操作装置が開示されている。その信号操作装置は、歩行者用信号灯器の青点灯開始を要求する要求ボタンを備えた信号操作装置であって、非接触情報記録媒体のアンテナを介して、所定の変復調方式に基づく搬送電力の送信とデータの授受を非接触にて行うリーダと、緊急事態発生時に操作されることにより緊急信号を出力する緊急ボタンと、前記リーダからの情報及び前記緊急ボタンからの緊急信号に基づいて緊急事態を外部装置に送信する制御回路とを備えている。前記制御回路は、前記リーダが前記非接触情報記録媒体に記録されたＩＤを読み取り、且つ前記緊急ボタンが押されたことを確認した場合、前記外部装置に対して前記ＩＤ及び緊急事態が発生した旨を送信することを特徴としている。
【０００７】
特開２００７−２６４９７１号公報には、具体的な位置を特定することができる車両用緊急連絡装置が開示されている。その車両用緊急連絡装置は、ＲＦＩＤに記憶された情報を読み取るリーダと、前記リーダが読み取った情報を記憶する記憶手段と、衝撃を検出するセンサと、前記センサの信号に基づいて前記記憶手段に記憶された情報を緊急連絡先に送信する無線通信部とを備えることを特徴としている。
【０００８】
特開２００８−１５０１３９号公報には、身体的弱者やライフライン維持に必要な人材など救出優先度が極めて高い人々がかご内に閉じ込められてしまったとき、当該エレベータに対して優先的に保守員が救出に向かうことができ、地域社会全体の安全性の向上を図ることができるエレベータの緊急時通報装置、及びこの緊急時通報装置が組み込まれたエレベータシステムが開示されている。そのエレベータの緊急時通報装置は、建屋の各階の乗場又はかご内に設けられた呼び登録装置で登録された呼びが指定する階へかごを移動させるとともに、前記かごの運行状況を監視し、監視結果を、通信回線を介して接続された監視センターへ送信するエレベータにおいて、前記かご内に設けられ、このかご内に乗車した救出優先度が高い乗客が所持している当該乗客の属性情報を記憶する属性情報記憶装置から非接触で前記属性情報を読み取るための情報読取装置と、前記かごの運転に悪影響を与える異常を検出する異常検出手段と、この異常検出手段が異常を検出すると、前記情報読取装置で前記かご内の救出優先度が高い各乗客の属性情報を読み取る属性情報読取手段と、この属性情報読取手段で読み取った属性情報を、前記通信回線を介して前記監視センターへ送信する属性情報送信手段とを備えたことを特徴としている。
【０００９】
特開２００９−１０５９５８号公報には、光ネットワークのＶｏＩＰ（Ｖｏｉｃｅ  ｏｖｅｒ  Ｉｎｔｅｒｎｅｔ  Ｐｒｏｔｏｃｏｌ）による緊急通報において、発呼者の所在地を迅速且つ確実に通報先に通知可能にする光コネクタが開示されている。その光コネクタは、光ファイバを光通信装置に接続するための光コネクタであって、外部から読み取り可能な識別情報を保持する無線ＩＣタグを具備することを特徴としている。
【００１０】
特開平１１−３５３４２５号公報には、様々なカード処理機能を柔軟に連携させる技術が開示されている。そのＩＣカード端末装置は、ＩＣカードの内部で動作するカード内プログラムに対して、ＩＣカードの外部から、コマンドの送信及びレスポンスの受信を行うことにより処理を進める端末プログラムを、２つ以上格納し、前記の２つ以上の端末プログラムの中から、所望の端末プログラムを選択的に実行可能なＩＣカード端末装置において、前記のカード内プログラムから受信したレスポンスから、端末プログラムを特定する識別情報を検出する連携要求識別手段と、前記の連携要求識別手段が検出した識別情報にて特定される端末プログラムを自動起動する連携処理管理手段を備えることを特徴としている。
【先行技術文献】
【特許文献】
【００１１】
【特許文献１】特開２００７−２３３７６７号公報
【特許文献２】特開２００７−２６４９７１号公報
【特許文献３】特開２００８−１５０１３９号公報
【特許文献４】特開２００９−１０５９５８号公報
【特許文献５】特開平１１−３５３４２５号公報
【発明の概要】
【発明が解決しようとする課題】
【００１２】
個人が緊急通報を行う場合、エレベータや特定の屋内などに携帯電話などの電波が届かない位置、電話機などの通信手段が存在しない位置にいた場合、通報を行う手段がないため、通報手段を探すなどの手間がかかる。
【００１３】
本発明の目的は、通報の手間を低減する緊急通報システムおよび緊急通報方法を提供することにある。
【課題を解決するための手段】
【００１４】
本発明による非接触式ＩＣカードは、緊急送信判定部と受信部と送信部と制御部とを備えている。その緊急送信判定部は、本非接触式ＩＣカードに対する操作に基づいて通常モードと緊急通報モードとのうちから１つのモードを選択する。その受信部は、カードリーダから出力される質問電波を受信する。その送信部は、応答電波を出力する。その制御部は、その通常モードが選択されている場合で、その質問電波を受信したときに、通常時応答電波を出力するようにその送信部を制御する。その制御部は、さらに、その緊急通報モードが選択されている場合で、その質問電波を受信したときに、その通常時応答電波と異なる緊急時応答電波を出力するようにその送信部を制御する。
【００１５】
本発明によるカードリーダは、リーダ側送信部とリーダ側受信部と通常動作部と通報部とを備えている。そのリーダ側送信部は、間欠的に質問電波を出力する。そのリーダ側受信部は、応答電波を受信する。その通常動作部は、その質問電波に応答して非接触式ＩＣカードから通常時応答電波が出力されたときに、その通常時応答電波が示している通常情報を用いて動作する。その通報部は、その質問電波に応答してその非接触式ＩＣカードから緊急時応答電波が出力されたときに通報装置を制御する。
【００１６】
本発明による緊急通報システムは、非接触式ＩＣカードとカードリーダとを備えている。その非接触式ＩＣカードは、緊急送信判定部と受信部と送信部と制御部とを備えている。その緊急送信判定部は、本非接触式ＩＣカードに対する操作に基づいて通常モードと緊急通報モードとから１つのモードを選択する。その受信部は、カードリーダから出力される質問電波を受信する。その送信部は、応答電波を出力する。その制御部は、その通常モードが選択されている場合で、その質問電波を受信したときに、通常時応答電波を出力するようにその送信部を制御する。その制御部は、さらに、その緊急通報モードが選択されている場合で、その質問電波を受信したときに、その通常時応答電波と異なる緊急時応答電波を出力するようにその送信部を制御する。そのカードリーダは、リーダ側送信部とリーダ側受信部と通常動作部と通報部とを備えている。そのリーダ側送信部は、間欠的に質問電波を出力する。そのリーダ側受信部は、応答電波を受信する。その通常動作部は、その質問電波に応答して非接触式ＩＣカードから通常時応答電波が出力されたときに、その通常時応答電波が示している通常情報を用いて動作する。その通報部は、その質問電波に応答してその非接触式ＩＣカードから緊急時応答電波が出力されたときに通報装置を制御する。
【００１７】
本発明による緊急通報方法は、非接触式ＩＣカードとカードリーダとを備えている緊急通報システムにより実行される方法である。本発明による緊急通報方法は、そのカードリーダが間欠的に質問電波を出力するステップと、その非接触式ＩＣカードがその非接触式ＩＣカードに対する操作に基づいて通常モードと緊急通報モードとから１つのモードを選択するステップと、その通常モードが選択されている場合で、その非接触式ＩＣカードがその質問電波を受信したときに、通常時応答電波をその非接触式ＩＣカードが出力するステップと、その非接触式ＩＣカードからその通常時応答電波が出力されたときに、そのカードリーダが、その通常時応答電波が示している通常情報を用いて動作するステップと、その緊急通報モードが選択されている場合で、その非接触式ＩＣカードがその質問電波を受信したときに、その通常時応答電波と異なる緊急時応答電波をその非接触式ＩＣカードが出力するステップと、その非接触式ＩＣカードからその緊急時応答電波が出力されたときに、そのカードリーダが通報装置を制御するステップとを備えている。
【発明の効果】
【００１８】
本発明による緊急通報システムおよび緊急通報方法は、ユーザによるは通報の手間を低減することができる。
【図面の簡単な説明】
【００１９】
【図１】図１は、本発明による緊急通報システムを示すブロック図である。
【図２】図２は、本発明によるカードリーダを示すブロック図である。
【図３】図３は、本発明による非接触式ＩＣカードを示すブロック図である。
【図４】図４は、通常モードが選択されたときに非接触式ＩＣカードにより発信される電波を示すグラフである。
【図５】図５は、緊急通報モードが選択されたときに非接触式ＩＣカードにより発信される電波を示すグラフである。
【図６】図６は、非接触式ＩＣカードの動作を示すフローチャートである。
【図７】図７は、本発明による緊急通報システムの実施の他の形態を示すブロック図である。
【図８】図８は、緊急通報モードが選択されたときに非接触式ＩＣカードにより発信される他の電波を示すグラフである。
【図９】図９は、他の非接触式ＩＣカードを示すブロック図である。
【図１０】図１０は、緊急通報モードが選択されたときに非接触式ＩＣカードにより発信されるさらに他の電波を示すグラフである。
【発明を実施するための形態】
【００２０】
図面を参照して、本発明による緊急通報システムの実施の形態を記載する。その緊急通報システム１は、図１に示されているように、カードリーダ２と非接触式ＩＣカード３とを備えている。カードリーダ２は、ランプ５とスピーカ６とを備えている。ランプ５は、カードリーダ２により制御されることにより、警報光を発光する。スピーカ６は、カードリーダ２により制御されることにより、警報音を発する。
【００２１】
カードリーダ２は、さらに、図２に示されているように、電波送受信装置１１を備えている。電波送受信装置１１は、カードリーダ２により制御されることにより、電波を出力し、電波送受信装置１１の近傍に配置される装置から出力される電波に関する情報をカードリーダ２に出力する。
【００２２】
カードリーダ２は、コンピュータであり、図示されていないＣＰＵと記憶装置とインターフェースとを備えている。そのＣＰＵは、カードリーダ２にインストールされるコンピュータプログラムを実行して、その記憶装置とインターフェースとを制御する。その記憶装置は、そのコンピュータプログラムを記録し、そのＣＰＵにより生成される情報を一時的に記録する。そのインターフェースは、カードリーダ２に接続される外部機器により生成される情報をそのＣＰＵに出力し、そのＣＰＵにより生成された情報をその外部機器に出力する。その外部機器は、ランプ５とスピーカ６と電波送受信装置１１とを含んでいる。
【００２３】
カードリーダ２にインストールされるコンピュータプログラムは、カードリーダ２に複数の機能をそれぞれ実現させるための複数のコンピュータプログラムから形成されている。その複数の機能は、リーダ側送信部１４とリーダ側受信部１５とモード選択部１６と通常動作部１７と通報部１８とを含んでいる。
【００２４】
リーダ側送信部１４は、電波送受信装置１１から常時に間欠的に質問電波が繰り返して出力されるように、電波送受信装置１１を制御する。リーダ側受信部１５は、電波送受信装置１１により受信された電波に関する情報を電波送受信装置１１から収集する。
【００２５】
モード選択部１６は、リーダ側受信部１５により収集された情報に基づいて通常モードまたは緊急モードから一方のモードを選択する。
【００２６】
通常動作部１７は、モード選択部１６により選択されたモードが通常モードであるときに、リーダ側受信部１５により収集された情報に基づく動作を実行する。たとえば、通常動作部１７は、非接触式ＩＣカード３が電子マネーである場合で、非接触式ＩＣカード３が商品の代金の支払いに利用されたときに、非接触式ＩＣカード３に記録されているチャージ金額からその代金だけ減算された金額が非接触式ＩＣカード３に記録されるように、電波送受信装置１１を用いて電波を出力する。通常動作部１７は、非接触式ＩＣカード３が乗車カードである場合で、改札を入場したときに、改札を入場したこととその入場した改札を識別する情報とが非接触式ＩＣカード３に記録されるように、電波送受信装置１１を用いて電波を出力し、改札を出場したときに、改札を出場したことが非接触式ＩＣカード３に記録されるように、電波送受信装置１１を用いて電波を出力する。
【００２７】
通報部１８は、モード選択部１６により選択されたモードが緊急通報モードであるときに、緊急通報モード電波を出力するように電波送受信装置１１を制御し、警告光を発光するようにランプ５を制御し、警報音を発するようにスピーカ６を制御する。その緊急通報モード電波は、緊急通報モードが設定されたことを示している。
【００２８】
図３は、非接触式ＩＣカード３を示している。非接触式ＩＣカード３は、制御部２１とメモリ部２２と緊急送信判定部２３とアンテナ部２４と受信部２５と復調部２６と変調部２７と送信部２９とを備えている。
【００２９】
アンテナ部２４は、図示されていないコイルを備えている。アンテナ部２４は、カードリーダ２から出力された質問電波を受信したときに、そのコイルにてその質問電波により交流電源を誘起し、その交流電源を直流電源に変換することにより、電力を生成する。アンテナ部２４は、その質問電波を受信したときに、さらに、その質問電波に基づいて質問電波電気信号を生成する。
【００３０】
受信部２５は、アンテナ部２４により生成された電力を用いて、アンテナ部２４により生成された質問電波電気信号に基づいて復調前電気信号を生成する。復調部２６は、アンテナ部２４により生成された電力を用いて、受信部２５により生成された復調前電気信号を復調することにより復調後電気信号を生成する。
【００３１】
メモリ部２２は、コンピュータプログラムとカードＩＤと緊急通報情報とを記録している。そのカードＩＤは、非接触式ＩＣカード３を他の非接触式ＩＣカードと識別するための情報を示している。メモリ部２２は、非接触式ＩＣカード３の用途に応じて他の情報をさらに記録している。メモリ部２２は、非接触式ＩＣカード３が乗車カードであるときに、さらに、改札を入場しているかどうかを記録し、入場しているならどこの改札を入場しているかを記録している。メモリ部２２は、非接触式ＩＣカード３が電子マネーであるときに、さらに、チャージ金額を記録している。
【００３２】
緊急送信判定部２３は、図示されていないスイッチを備えている。そのスイッチは、非接触式ＩＣカード３の表面に配置され、ユーザに押下されることにより状態が遷移する。緊急送信判定部２３は、そのスイッチが押下されていないときに通常モードを選択し、そのスイッチが押下されたときに緊急通報モードを選択する。
【００３３】
制御部２１は、ＣＰＵから形成され、アンテナ部２４により生成された電力を用いて、メモリ部２２に記録されるコンピュータプログラムを実行することにより、メモリ部２２と緊急送信判定部２３と復調部２６と変調部２７とを制御する。すなわち、制御部２１は、アンテナ部２４により生成された電力を用いて、緊急送信判定部２３により選択されたモードと復調部２６により生成された復調後電気信号とに基づいて変調前電気信号を生成し、その変調前電気信号を変調部２７に出力する。
【００３４】
変調部２７は、アンテナ部２４により生成された電力を用いて、制御部２１により生成される変調前電気信号を変調することにより変調後電気信号を生成する。送信部２９は、アンテナ部２４により生成された電力を用いて、変調部２７により生成される変調後電気信号に基づいて応答電波電気信号を生成する。このとき、アンテナ部２４は、送信部２９により生成される応答電波電気信号に基づいて応答電波を発信する。
【００３５】
図４は、カードリーダ２から出力される質問電波を示している。その質問電波３１は、プリアンブル信号３２とコマンド信号３３とパラメータ信号３４とから形成されている。プリアンブル信号３２は、質問電波３１の先頭部分である。コマンド信号３３は、質問電波３１のうちのプリアンブル信号３２の次に発信される部分であり、コマンドを示している。パラメータ信号３４は、質問電波３１のうちのコマンド信号３３の次に発信される部分であり、そのコマンドが実行されるときに用いられるパラメータを示している。たとえば、非接触式ＩＣカード３が電子マネーである場合で、非接触式ＩＣカード３が商品の代金の支払いに利用されたときに、そのパラメータは、その代金を示し、そのコマンドは、メモリ部２２に記録されているチャージ金額からその代金だけ減算された金額をメモリ部２２に記録することを示している。非接触式ＩＣカード３が乗車カードである場合で、改札を入場したときに、そのパラメータは、その改札を示し、そのコマンドは、その改札を入場したことをメモリ部２２に記録することを示している。
【００３６】
図４は、さらに、非接触式ＩＣカード３の動作を示している。非接触式ＩＣカード３は、質問電波３１を受信したときに、プリアンブル信号３２により交流電源を誘起し、その交流電源を直流電源に変換することにより、電力を生成し、電源がオンされる。非接触式ＩＣカード３は、さらに、プリアンブル信号３２を用いて通信同期を取ることにより、コマンド信号３３とパラメータ信号３４とを復調する。
【００３７】
非接触式ＩＣカード３は、ユーザにより通常モードが選択されているときに、コマンド信号３３が示すコマンドをパラメータ信号３４が示すパラメータを用いて実行し、図４に示されているように、通常時応答電波３６を出力する。通常時応答電波３６は、通常情報信号３７を含んでいる。通常情報信号３７は、非接触式ＩＣカード３のメモリ部２２により記録されているカードＩＤを示している。
【００３８】
非接触式ＩＣカード３は、ユーザにより緊急通報モードが選択されているときに、図５に示されているように、緊急時応答電波３８を出力する。緊急時応答電波３８は、緊急通報用ヘッダ信号３９と通常情報信号４０とを含んでいる。緊急通報用ヘッダ信号３９は、緊急時応答電波３８の先頭部分であり、非接触式ＩＣカード３のメモリ部２２により記録されている緊急通報情報を示している。通常情報信号４０は、緊急時応答電波３８のうちの緊急通報用ヘッダ信号３９の次に発信される部分であり、非接触式ＩＣカード３のメモリ部２２により記録されているカードＩＤを示している。
【００３９】
図６は、非接触式ＩＣカード３の動作を示している。非接触式ＩＣカード３は、カードリーダ２から質問電波を受信していない場合は（ステップＳ２、ＮＯ）、電源を供給できないため、電源がＯＦＦ状態である（ステップＳ１）。非接触式ＩＣカード３は、カードリーダ２から出力された質問電波３１をアンテナ部２４が受信した場合に（ステップＳ２、ＹＥＳ）、交流電圧を誘起し、内部で直流電圧に変換されてカード内部のＩＣに電源が供給されることで、電源がＯＮ状態となる（ステップＳ３）。
【００４０】
非接触式ＩＣカード３は、ＯＮ状態でカードリーダ２との通信が可能となった場合、非接触式ＩＣカード３のスイッチが押下されているかどうかを判別することにより、緊急通報を実施するか否かの判定を行う（ステップＳ４）。
【００４１】
非接触式ＩＣカード３は、非接触式ＩＣカード３のスイッチが押下されていないときに（ステップＳ４、ＮＯ）、通常の通信であると判断して、通常時応答電波３６を出力してカードリーダ２との通信を行う（ステップＳ５）。さらに、非接触式ＩＣカード３は、質問電波３１が示すコマンドを実行する。たとえば、非接触式ＩＣカード３は、質問電波３１が「メモリ部２２に記録されているチャージ金額からある代金だけ減算された金額をメモリ部２２に記録すること」を示しているときに、メモリ部２２に記録されているチャージ金額からその代金だけ減算された金額をメモリ部２２に記録する。
【００４２】
非接触式ＩＣカード３は、非接触式ＩＣカード３のスイッチが押下されているときに、すなわち、緊急通報であると判定されたときに（ステップＳ４、ＹＥＳ）、通常の送信データに緊急用のヘッダをデータに付加し（ステップＳ６）、緊急時応答電波３８を出力する（ステップＳ７）。
【００４３】
非接触式ＩＣカード３は、緊急時応答電波３８を出力した後にカードリーダ２より緊急情報を受信できた旨を示す緊急通報モード電波を受信しないときに（ステップＳ８、ＮＯ）、緊急時応答電波３８を再度送信する（ステップＳ７）。非接触式ＩＣカード３は、カードリーダ２よりその緊急通報モード電波を受信するまで（ステップＳ８、ＹＥＳ）、緊急時応答電波３８を繰り返して送信する（ステップＳ７）。
【００４４】
本発明による緊急通報方法の実施の形態は、緊急通報システム１により実行され、通常時の動作と緊急時の動作とを備えている。
【００４５】
その通常時の動作は、ユーザが非接触式ＩＣカード３のスイッチを押下しないで非接触式ＩＣカード３をカードリーダ２にかざすことにより開始される。カードリーダ２は、所定のコマンドとパラメータとを示す質問電波３１を出力する。たとえば、非接触式ＩＣカード３が電子マネーである場合で、非接触式ＩＣカード３が商品の代金の支払いに利用されたときに、そのパラメータは、その代金を示し、そのコマンドは、メモリ部２２に記録されているチャージ金額からその代金だけ減算された金額をメモリ部２２に記録することを示している。非接触式ＩＣカード３が乗車カードである場合で、改札を入場したときに、そのパラメータは、その改札を示し、そのコマンドは、その改札を入場したことをメモリ部２２に記録することを示している。
【００４６】
非接触式ＩＣカード３は、質問電波３１を受信すると、プリアンブル信号３２により交流電源を誘起し、その交流電源を直流電源に変換することにより、電力を生成し、電源がオンされる。非接触式ＩＣカード３は、さらに、プリアンブル信号３２を用いて通信同期を取ることにより、質問電波３１のコマンド信号３３とパラメータ信号３４とを復調する。
【００４７】
非接触式ＩＣカード３は、そのスイッチが押下されていないので、通常モードが選択されている。このため、非接触式ＩＣカード３は、質問電波３１のコマンド信号３３が示すコマンドを質問電波３１のパラメータ信号３４が示すパラメータを用いて実行し、通常時応答電波３６を出力する。たとえば、非接触式ＩＣカード３は、非接触式ＩＣカード３が商品の代金の支払いに利用されたときに、メモリ部２２に記録されているチャージ金額からその代金だけ減算された金額をメモリ部２２に記録する。非接触式ＩＣカード３は、改札の入場時に利用されたときに、その改札を入場したことをメモリ部２２に記録する。非接触式ＩＣカード３は、改札の出場時に利用されたときに、その改札を出場したことをメモリ部２２に記録する。
【００４８】
その緊急時の動作は、ユーザが非接触式ＩＣカード３のスイッチを押下した後に非接触式ＩＣカード３をカードリーダ２にかざすことにより開始される。カードリーダ２は、その通常時の動作と同様にして、所定のコマンドとパラメータとを示す質問電波３１を出力する。たとえば、非接触式ＩＣカード３が電子マネーである場合で、非接触式ＩＣカード３が商品の代金の支払いに利用されたときに、そのパラメータは、その代金を示し、そのコマンドは、メモリ部２２に記録されているチャージ金額からその代金だけ減算された金額をメモリ部２２に記録することを示している。非接触式ＩＣカード３が乗車カードである場合で、改札を入場したときに、そのパラメータは、その改札を示し、そのコマンドは、その改札を入場したことをメモリ部２２に記録することを示している。
【００４９】
非接触式ＩＣカード３は、質問電波３１を受信すると、その通常時の動作と同様にして、プリアンブル信号３２により交流電源を誘起し、その交流電源を直流電源に変換することにより、電力を生成し、電源がオンされる。非接触式ＩＣカード３は、さらに、プリアンブル信号３２を用いて通信同期を取ることにより、質問電波３１のコマンド信号３３とパラメータ信号３４とを復調する。
【００５０】
非接触式ＩＣカード３は、そのスイッチが押下されたので、緊急通報モードが選択されている。このため、非接触式ＩＣカード３は、緊急時応答電波３８を出力する。
【００５１】
カードリーダ２は、緊急時応答電波３８を受信すると、緊急通報モード電波を出力するように電波送受信装置１１を制御し、警告光を発光するようにランプ５を制御し、警報音を発するようにスピーカ６を制御する。その緊急通報モード電波は、緊急通報モードが設定されたことを示している。
【００５２】
非接触式ＩＣカード３は、その緊急通報モード電波を受信すると、緊急時応答電波３８を出力することを停止する。
【００５３】
カードリーダ２は、既存の電子マネーのシステムに適用されるカードリーダに置換され、既存の乗車カードのシステムに適用されるカードリーダに置換されることができる。非接触式ＩＣカード３は、既存の電子マネーの非接触式ＩＣカードに置換され、既存の乗車カードに置換されることができる。本発明による緊急通報システム１は、非接触式ＩＣカードが適用されたシステムに置換されることにより、非接触式ＩＣカード３を携帯するユーザに、緊急事態にする報知の手段を提供することができる。
【００５４】
緊急通報は、一般的に、電話や警報などの特定の機器を用いて行われている。このため、ユーザは、エレベータや屋内などで携帯電話などの無線電波が遮断されてしまう場所や、電話機や警報機などが設置されていない屋外等、通報ができないような位置では、緊急通報できない場合がある。カードリーダ２は、任意の場所に配置されることができる。このため、本発明による緊急通報システム１によれば、非接触式ＩＣカード３を携帯するユーザは、カードリーダ２が設置されていれば緊急通報が行うことが可能であり、緊急通報することができる場所を増加させることができる。
【００５５】
本発明による緊急通報システム１によれば、ユーザは、非接触式ＩＣカード３に所定の操作をした後に非接触式ＩＣカード３をカードリーダ２にかざすだけで緊急通報することができ、より容易に緊急通報することができる。
【００５６】
なお、緊急送信判定部２３は、スイッチと異なる他のセンサを備える他の緊急送信判定部に置換されることもできる。そのセンサとしては、非接触式ＩＣカード３に印加される加速度を観測する加速度センサが例示される。このとき、その緊急送信判定部は、その加速度センサにより所定の閾値より大きい加速度が観測された後に緊急通報モードを選択する。このとき、ユーザは、緊急通報したいときに、非接触式ＩＣカード３に衝撃を与えた後に非接触式ＩＣカード３をカードリーダ２にかざすことにより、緊急通報することができる。そのセンサとしては、さらに、非接触式ＩＣカード３の一部が変形したり欠損したりすることを検出する破損センサが例示される。このとき、その緊急送信判定部は、その破損センサにより非接触式ＩＣカード３の破損が観測された後に緊急通報モードを選択する。このとき、ユーザは、緊急通報したいときに、非接触式ＩＣカード３のその一部を破損させた後に非接触式ＩＣカード３をカードリーダ２にかざすことにより、緊急通報することができる。
【００５７】
このような緊急送信判定部が適用された場合であっても、既述の実施の形態における緊急通報システム１と同様にして、緊急事態にする報知の手段を増加させることができ、緊急通報することができる場所を増加させることができ、緊急通報の手間をより簡略化することができる。
【００５８】
図７は、本発明による緊急通報システムの実施の他の形態を示している。その緊急通報システム４１は、既述の実施の形態におけるカードリーダ２がカードリーダ４２に置換されている。カードリーダ４２は、インターネット４４を介して、データセンターサーバ４５と通報先サーバ４６と双方向に情報を伝送することができるように接続されている。カードリーダ４２は、カードリーダ４２を識別する情報とカードリーダ４２が設置されている場所を示す情報とが記録されている。
【００５９】
データセンターサーバ４５は、非接触式ＩＣカード３を用いて緊急通報と異なるサービスをユーザに提供する業者により使用されている。そのサービスとしては、電子マネーのサービス、乗車カードのサービスが例示される。データセンターサーバ４５は、複数のカードＩＤを複数のユーザに対応付けるテーブルを記録している。データセンターサーバ４５は、カードリーダ４２からカードＩＤが通知されたときに、その複数のユーザのうちのそのカードＩＤに対応するユーザにそのサービスを提供するためのデータ処理を実行する。
【００６０】
通報先サーバ４６は、ユーザが緊急時に通報したい組織により使用されている。その組織としては、警察署、消防署などの公共機関が例示される。通報先サーバ４６は、カードリーダ４２から緊急通報が通知されたときに、その緊急通報に基づくサービスを提供するためのデータ処理を実行する。
【００６１】
本発明による緊急通報方法の実施の他の形態は、緊急通報システム４１により実行され、既述の実施の形態における緊急通報システム１の緊急通報方法と同様にして、通常時の動作と緊急時の動作とを備えている。
【００６２】
その通常時の動作は、ユーザが非接触式ＩＣカード３のスイッチを押下しないで非接触式ＩＣカード３をカードリーダ４２にかざすことにより開始される。カードリーダ４２は、所定のコマンドとパラメータとを示す質問電波３１を出力する。非接触式ＩＣカード３は、そのスイッチが押下されていないので、通常モードが選択されている。このため、非接触式ＩＣカード３は、質問電波３１を受信すると、質問電波３１を用いて生成された電力を用いて、質問電波３１のコマンド信号３３が示すコマンドを質問電波３１のパラメータ信号３４が示すパラメータを用いて実行し、通常時応答電波３６を出力する。カードリーダ４２は、通常時応答電波３６を受信すると、インターネット４４を介して通常時応答電波３６が示すカードＩＤをデータセンターサーバ４５に送信する。データセンターサーバ４５は、カードリーダ４２からカードＩＤが通知されたときに、その複数のユーザのうちのそのカードＩＤに対応するユーザにそのサービスを提供するためのデータ処理を実行する。
【００６３】
その緊急時の動作は、ユーザが非接触式ＩＣカード３のスイッチを押下した後に非接触式ＩＣカード３をカードリーダ４２にかざすことにより開始される。カードリーダ４２は、その通常時の動作と同様にして、所定のコマンドとパラメータとを示す質問電波３１を出力する。非接触式ＩＣカード３は、そのスイッチが押下されたので、緊急通報モードが選択されている。このため、非接触式ＩＣカード３は、緊急時応答電波３８を出力する。カードリーダ４２は、緊急時応答電波３８を受信すると、インターネット４４を介して緊急時応答電波３８が示す情報（カードＩＤ）とカードリーダ４２を識別する情報とカードリーダ４２が設置されている場所を示す情報とを通報先サーバ４６に送信する。通報先サーバ４６を使用する組織は、これらの情報に基づいて非接触式ＩＣカード３のユーザにサービスを提供する。そのサービスとしては、カードリーダ４２が設置されている場所に出動することが例示される。
【００６４】
このような緊急通報システム４１は、既述の実施の形態における緊急通報システム１と同様にして、緊急事態にする報知の手段を増加させることができ、緊急通報することができる場所を増加させることができる。
【００６５】
ユーザは、警察署、消防署などに電話にての緊急通報を行う場合、発生した場所や個人名など、状況に応じて逐一報告する必要がある。このような緊急通報システム４１によれば、非接触式ＩＣカード３のカードＩＤとカードリーダ４２が設置されている場所とが通知され、電話による緊急通報に比較して、通報の手間をより簡略化することができる。
【００６６】
なお、その緊急時の動作は、他の緊急時の動作に置換されることもできる。その緊急時の動作では、カードリーダ４２は、緊急時応答電波３８を受信すると、インターネット４４を介して緊急時応答電波３８が示すカードＩＤと緊急時であることとをデータセンターサーバ４５に送信する。データセンターサーバ４５は、カードリーダ４２からカードＩＤと緊急時あることとが通知されたときに、その複数のユーザのうちのそのカードＩＤに対応するユーザに関するユーザ情報をカードリーダ４２に返信する。カードリーダ４２は、そのユーザ情報を受信すると、そのユーザ情報とカードリーダ４２が設置されている場所を示す情報とを通報先サーバ４６に送信する。
【００６７】
このような動作によれば、通報先サーバ４６は、緊急通報した通報者のより詳しい情報を取得することができる。
【００６８】
なお、緊急時応答電波３８は、他の緊急時応答電波に置換されることができる。その緊急時応答電波５１は、図８に示されているように、複数の緊急通報用信号５２−１〜５２−ｎ（ｎ＝２，３，４，…）と通常情報信号５３とを含んでいる。通常情報信号５３は、緊急時応答電波５１の先頭部分であり、非接触式ＩＣカード３のカードＩＤを示している。複数の緊急通報用信号５２−１〜５２−ｎのうちの緊急通報用信号５２−１は、緊急時応答電波５１のうちの通常情報信号５３の次に発信される部分である。緊急通報用信号５２−ｉ（ｉ＝２，３，…，ｎ）は、緊急通報用信号５２−（ｉ−１）の次に発信される部分である。複数の緊急通報用信号５２−１〜５２−ｎは、それぞれ、予め規定されている緊急通報情報を示している。
【００６９】
緊急時応答電波５１が適用された非接触式ＩＣカード３は、緊急通報モードで質問電波３１を受信したときに、緊急時応答電波５１を出力する。すなわち、非接触式ＩＣカード３は、緊急通報モードで質問電波３１を受信したときに、通常情報信号５３と緊急通報用信号５２−１とを出力する。非接触式ＩＣカード３は、緊急通報用信号５２−ｉを出力した後の所定期間に緊急通報モード電波を受信しないときに、緊急通報用信号５２−（ｉ＋１）を出力する。非接触式ＩＣカード３は、緊急通報用信号５２−ｉを出力した後に緊急通報モード電波を受信したときに、緊急通報用信号を出力することを停止する。
【００７０】
緊急時応答電波５１が適用された緊急通報システムは、既述の実施の形態における緊急通報システム１と同様にして、緊急事態にする報知の手段を増加させることができ、緊急通報することができる場所を増加させることができる。緊急時応答電波５１が適用された緊急通報システムは、さらに、１つの質問電波３１に応答して緊急時応答電波を１度だけ出力する非接触式ＩＣカードが適用された他の緊急通報システムに比較して、カードリーダに緊急であることをより確実に通知することができ、好ましい。
【００７１】
図９は、本発明による非接触式ＩＣカードの実施の他の形態を示している。その非接触式ＩＣカード６０は、制御部６１とメモリ部６２と緊急送信判定部６３とアンテナ部６４と受信部６５と復調部６６と変調部６７と送信電力制御部６８と送信部６９とを備えている。
【００７２】
アンテナ部６４は、図示されていないコイルを備えている。アンテナ部６４は、カードリーダ２から出力された質問電波を受信したときに、そのコイルにてその質問電波により交流電源を誘起し、その交流電源を直流電源に変換することにより、電力を生成する。アンテナ部６４は、その質問電波を受信したときに、さらに、その質問電波に基づいて質問電波電気信号を生成する。
【００７３】
受信部６５は、アンテナ部６４により生成された電力を用いて、アンテナ部６４により生成された質問電波電気信号に基づいて復調前電気信号を生成する。復調部６６は、アンテナ部６４により生成された電力を用いて、受信部６５により生成された復調前電気信号を復調することにより復調後電気信号を生成する。
【００７４】
メモリ部６２は、コンピュータプログラムとカードＩＤと緊急通報情報とを記録している。そのカードＩＤは、非接触式ＩＣカード６０を他の非接触式ＩＣカードと識別するための情報を示している。メモリ部６２は、非接触式ＩＣカード６０の用途に応じて他の情報をさらに記録している。
【００７５】
緊急送信判定部６３は、非接触式ＩＣカード６０に対する操作に基づいて通常モードと緊急通報モードとのうちから１つのモードを選択する。
【００７６】
制御部６１は、ＣＰＵから形成され、アンテナ部６４により生成された電力を用いて、メモリ部６２に記録されるコンピュータプログラムを実行することにより、メモリ部６２と緊急送信判定部６３と復調部６６と変調部６７と送信電力制御部６８とを制御する。すなわち、制御部６１は、アンテナ部６４により生成された電力を用いて、緊急送信判定部６３により選択されたモードと復調部６６により生成された復調後電気信号とに基づいて変調前電気信号を生成し、その変調前電気信号を変調部６７に出力する。
【００７７】
変調部６７は、アンテナ部６４により生成された電力を用いて、制御部６１により生成される変調前電気信号を変調することにより変調後電気信号を生成する。送信電力制御部６８は、制御部６１により制御されることにより、変調部６７により生成される変調後電気信号に基づいて送信電力制御後電気信号を生成する。送信部６９は、アンテナ部６４により生成された電力を用いて、送信電力制御部６８により生成される送信電力制御後電気信号に基づいて応答電波電気信号を生成する。このとき、アンテナ部６４は、送信部６９により生成される応答電波電気信号に基づいて応答電波を発信する。
【００７８】
図１０は、緊急通報モードが選択されているときに、非接触式ＩＣカード６０により出力される緊急時応答電波を示している。緊急時応答電波７１は、緊急通報用ヘッダ信号７２と通常情報信号７３とを含んでいる。緊急通報用ヘッダ信号７２は、緊急時応答電波７１の先頭部分であり、所定の送信電力で出力される。その送信電力は、通常情報信号７３が出力される送信電力より十分に大きい。緊急通報用ヘッダ信号７２は、非接触式ＩＣカード６０のメモリ部６２により記録されている緊急通報情報を示している。通常情報信号７３は、緊急時応答電波７１のうちの緊急通報用ヘッダ信号７２の次に発信される部分である。通常情報信号７３が示す情報７４は、非接触式ＩＣカード６０のメモリ部６２により記録されているカードＩＤを示している。
【００７９】
非接触式ＩＣカード６０が適用された緊急通報システムに適用されるカードリーダは、送信電力が所定の閾値より大きい電波を受信したときに、緊急通報モードに遷移する。そのカードリーダは、その緊急通報モードに遷移すると、警告光を発光するようにランプ５を制御し、警報音を発するようにスピーカ６を制御し、または、インターネット４４を介して通常情報信号７３が示す情報７４とそのカードリーダを識別する情報とそのカードリーダが設置されている場所を示す情報とを通報先サーバ４６に送信する。
【００８０】
このような緊急通報システムは、既述の実施の形態における緊急通報システム１と同様にして、緊急事態にする報知の手段を増加させることができ、緊急通報することができる場所を増加させることができる。さらに、このような緊急通報システムは、既述の実施の形態における緊急通報システム４１と同様にして、通報の手間をより簡略化することができる。
【００８１】
なお、緊急時応答電波７１は、緊急通報用ヘッダ信号７２が他の緊急通報用ヘッダ信号に置換されることもできる。その緊急通報用ヘッダ信号は、その緊急時応答電波の先頭部分であり、所定の周波数で出力される。その周波数は、通常情報信号７３の搬送波の周波数より十分に大きい。その緊急通報用ヘッダ信号は、非接触式ＩＣカード６０のメモリ部６２により記録されている緊急通報情報を示している。このとき、カードリーダは、周波数が所定の閾値より大きい電波を受信したときに、緊急通報モードに遷移する。そのカードリーダは、その緊急通報モードに遷移すると、警告光を発光するようにランプ５を制御し、警報音を発するようにスピーカ６を制御し、または、インターネット４４を介して通常情報信号７３が示す情報７４とそのカードリーダを識別する情報とそのカードリーダが設置されている場所を示す情報とを通報先サーバ４６に送信する。
【００８２】
このような緊急通報システムは、既述の実施の形態における緊急通報システムと同様にして、緊急事態にする報知の手段を増加させることができ、緊急通報することができる場所を増加させることができ、さらに、通報の手間をより簡略化することができる。
【符号の説明】
【００８３】
１  ：緊急通報システム
２  ：カードリーダ
３  ：非接触式ＩＣカード
５  ：ランプ
６  ：スピーカ
１１：電波送受信装置
１４：リーダ側送信部
１５：リーダ側受信部
１６：モード選択部
１７：通常動作部
１８：通報部
２１：制御部
２２：メモリ部
２３：緊急送信判定部
２４：アンテナ部
２５：受信部
２６：復調部
２７：変調部
２９：送信部
３１：質問電波
３２：プリアンブル信号
３３：コマンド信号
３４：パラメータ信号
３６：通常時応答電波
３７：通常情報信号
３８：緊急時応答電波
３９：緊急通報用ヘッダ信号
４０：通常情報信号
４１：緊急通報システム
４２：カードリーダ
４４：インターネット
４５：データセンターサーバ
４６：通報先サーバ
５１：緊急時応答電波
５２−１〜５２−ｎ：複数の緊急通報用信号
５３：通常情報信号
６０：非接触式ＩＣカード
６１：制御部
６２：メモリ部
６３：緊急送信判定部
６４：アンテナ部
６５：受信部
６６：復調部
６７：変調部
６８：送信電力制御部
６９：送信部
７１：緊急時応答電波
７２：緊急通報用ヘッダ信号
７３：通常情報信号
７４：情報
【図１】
2011159182.tif 000003
【図２】
2011159182.tif 000004
【図３】
2011159182.tif 000005
【図４】
2011159182.tif 000006
【図５】
2011159182.tif 000007
【図６】
2011159182.tif 000008
【図７】
2011159182.tif 000009
【図８】
2011159182.tif 000010
【図９】
2011159182.tif 000011
【図１０】
2011159182.tif 000012